【手続補正書】
【提出日】平成19年5月16日(2007.5.16)
【手続補正１】
【補正対象書類名】特許請求の範囲
【補正対象項目名】全文
【補正方法】変更
【補正の内容】
【特許請求の範囲】
【請求項１】
リチウムイオン二次電池に組み込まれる電池監視装置であって、
矩形形状の薄板と、その上に形成された配線と、リチウムイオン二次電池に組み込まれたとき該電池の電源端子に接続される第１及び第２の電源端子を備えた実装基板と、
導体からなる支持板と、電池監視機能が搭載され前記支持板に接続された半導体チップと、前記半導体チップ上に形成された電極にそれぞれ対応して電気的に接続された複数の端子と、前記支持板が下面に露出するように前記半導体チップを覆う絶縁材料よりなる封止体とによって構成されてなり、前記支持板が対応する配線を介して前記第１の電源端子に接続され、前記複数の端子がそれぞれ対応する前記配線に電気的に接続されて前記実装基板に搭載された半導体装置と、
前記実装基板に搭載された放電スイッチ及び充電スイッチと、
を備え、
前記半導体装置の前記複数の端子は、前記放電スイッチに接続される放電端子、前記充電スイッチに接続される充電端子、前記第２の電源端子に接続される電源端子及び入力端子の４端子によって構成されてなり、
前記半導体装置には専用のテスト端子が備えられておらず、前記実装基板上には前記半導体装置の前記電源端子に接続する第１テスト端子及び前記入力端子に接続する第２テスト端子が備えられており、テスト時において、前記第１及び第２テスト端子にそれぞれ所定の電圧を与えることによりテスト状態に切り替えるように構成されてなることを特徴とする電池監視装置。
【請求項２】
前記４個の端子は、前記支持板を挟んで一方に２個、他方に２個前記封止体の対面する２側縁に沿ってそれぞれ配置されてなることを特徴とする請求項１記載の電池監視装置。
【請求項３】
前記半導体装置に搭載された前記電池監視機能は、基準電圧発生回路と、前記基準電圧発生回路及び前記入力端子から信号を受け取る放電電流検出回路と、前記基準電圧発生回路から信号を受け取る下限電圧検出回路と、前記基準電圧発生回路から信号を受け取る上限電圧検出回路と、発振器及びこの発振器に接続されるカウンタと、前記第１電源端子及び前記入力端子から信号を受け取る充電器電圧検出回路と、制御回路と、駆動回路とを備え、前記制御回路は、前記下限電圧検出回路、前記上限電圧検出回路、前記放電電流検出回路、前記充電器電圧検出回路及び前記カウンタから信号を受け取り前記発振器に信号を送り、前記駆動回路は、前記制御回路から信号を受け取り前記充電端子または前記放電端子に信号を送る構成を備えてなり、
前記テスト状態は、前記第１テスト端子と、前記第２テスト端子と、前記カウンタとよりなる回路構成によって実行されることを特徴とする請求項１または２記載の電池監視装置。
【請求項４】
前記実装基板上に設けられた、前記第１テスト端子及び前記第２テスト端子は、前記電池監視装置として組み立てられた実装基板に対するテスト及び電池パック完成後のテストを行う際に状態設定用として使用されることを特徴とする請求項１乃至３のいずれか記載の電池監視装置。
【請求項５】
前記カウンタは、
前記発振器の出力信号を入力信号とし、複数のハイリセットカウンタを直列に接続してなる第１のカウンタと、
前記第１のカウンタに接続され、短絡電流検出信号を出力する第１のキャリービット検出回路と、
前記入力端子に入力されるＩＤＴ信号と短絡電流検知電圧Ｖ６を入力し、前記第１のカウンタの前記各ハイリセットカウンタに信号を出力する第１の差動増幅器と、
前記発振器の出力信号を入力し、複数のハイリセットカウンタを直列に接続してなる第２のカウンタと、
前記第２のカウンタの出力信号を入力するとともに、前記短絡電流検出信号の反転信号を入力する第１のＡＮＤゲートと、
前記発振器の出力信号と前記短絡電流検出信号を入力する第２のＡＮＤゲートと、
前記第１のＡＮＤゲートの出力信号及び前記第２のＡＮＤゲートの出力信号を入力するＮＯＲゲートと、
前記ＮＯＲゲートの出力信号を入力し、複数のハイリセットカウンタを直列に接続してなる第３のカウンタと、
前記第３のカウンタの出力信号を入力し、過充電電圧検出信号を出力する第２のキャリービット検出回路と、
前記第１電源電圧ＶＣＣと前記上限電圧検出回路の出力信号である充電停止電圧Ｖ１を入力し、前記第２のカウンタの前記各ハイリセットカウンタ及び前記第３のカウンタの前記各ハイリセットカウンタに出力する第２の差動増幅器とによって、過充電電圧検出時間短縮モード実現機構を構成し、
（ａ）短絡電流スパイク回避時間Ｔsp４を経過する時間、前記入力端子の端子電圧（ＶIDT ）が前記短絡電流検知電圧Ｖ６より大きくなる電圧を前記第２テスト端子に印加して短絡電流検出状態に遷移させ、
（ｂ）前記第１テスト端子の端子電圧（Ｖbvcc）が充電停止電圧Ｖ１より大きくなる電圧を前記第１テスト端子に印加することにより、過充電電圧(Ｖ１)を検出する時間（Ｔsp３）を短縮させた状態である過充電電圧検出時間短縮テスト状態に遷移させることを特徴とする請求項３に記載の電池監視装置。
【請求項６】
前記カウンタは、
前記発振器の出力信号を入力信号とし、複数のハイリセットカウンタを直列に接続してなる第１のカウンタと、
前記第１のカウンタに接続され、充電過電流検出信号を出力する第１のキャリービット検出回路と、
前記入力端子に入力されるＩＤＴ信号と充電過電流検出電圧Ｖ９を入力し、前記第１のカウンタの前記各ハイリセットカウンタに信号を出力する第１の差動増幅器と、
前記発振器の出力信号を入力し、複数のハイリセットカウンタを直列に接続してなる第２のカウンタと、
前記第２のカウンタの出力信号を入力するとともに、前記充電過電流検出信号の反転信号を入力する第１のＡＮＤゲートと、
前記発振器の出力信号と前記充電過電流検出信号を入力する第２のＡＮＤゲートと、
前記第１のＡＮＤゲートの出力信号及び前記第２のＡＮＤゲートの出力信号を入カするＮＯＲゲートと、
前記ＮＯＲゲートの出力信号を入力し、複数のハイリセットカウンタを直列に接続してなる第３のカウンタと、
前記第３のカウンタの出力信号を入力し、過放電電圧検出信号を出力する第２のキャリービット検出回路と、
前記第１電源電圧ＶＣＣと前記下限電圧検出回路の出力信号である放電停止電圧Ｖ４を入力し、前記第２のカウンタの前記各ハイリセットカウンタ及び前記第３のカウンタの前記各ハイリセットカウンタに出力する第２の差動増幅器とによって、過放電電圧検出時間短縮モード実現機構を構成し、
（ａ）充電過電流検出時間Ｔsp９を経過する時間、前記入力端子の端子電圧（ＶIDT ）が前記充電過電流検出電圧Ｖ９より小さくなる電圧を前記第２テスト端子に印加して充電過電流検出状態に遷移させ、
（ｂ）前記第１テスト端子の端子電圧（Ｖbvcc）が放電停止電圧Ｖ４より小さくなる電圧を前記第１テスト端子に印加することにより、過放電電圧（Ｖ４）を検出する時間（Ｔsp１）が短縮された状態である過放電電圧検出時間短縮テスト状態に遷移させることを特徴とする請求項３に記載の電池監視装置。
【請求項７】
リチウムイオン二次電池に組み込まれる電池監視装置の実装基板に搭載して使用される監視ＩＣであって、
前記ＩＣは、導体からなる支持板と、電池監視機能が搭載され前記支持板に接続された半導体チップと、前記半導体チップ上に形成された電極にそれぞれ対応して電気的に接続された複数の端子と、前記支持板が下面に露出するように前記半導体チップを覆う絶縁材料よりなる封止体とによって構成されてなり、
前記支持板が対応する配線を介して前記実装基板の第１電源端子に接続され、前記複数の端子がそれぞれ対応する前記配線に電気的に接続されて前記実装基板に搭載されるように構成されており、
前記複数の端子は、放電スイッチに接続される前記放電端子、充電スイッチに接続される前記充電端子、前記実装基板の第２電源端子に接続される電源端子及び入力端子の４端子によって構成されてなり、
前記電池監視機能は、基準電圧発生回路と、前記基準電圧発生回路及び前記入力端子から信号を受け取る放電電流検出回路と、前記基準電圧発生回路から信号を受け取る下限電圧検出回路と、前記基準電圧発生回路から信号を受け取る上限電圧検出回路と、発振器及びこの発振器に接続されるカウンタと、前記電源端子及び前記入力端子から信号を受け取る充電器電圧検出回路と、制御回路と、駆動回路とを備え、前記制御回路は、前記下限電圧検出回路、前記上限電圧検出回路、前記放電電流検出回路、前記充電器電圧検出回路及び前記カウンタから信号を受け取り前記発振器に信号を送り、前記駆動回路は、前記制御回路から信号を受け取り前記充電端子または前記放電端子に信号を送る構成を備えてなり、
前記ＩＣには、専用のテスト端子が備えられておらず、前記電池監視装置のテスト時において、前記ＩＣの前記電源端子及び前記入力端子にそれぞれ所定の電圧を与えることによりテスト状態に切り替えるように構成されてなることを特徴とする監視ＩＣ。
【請求項８】
前記４個の端子は、前記支持板を挟んで一方に２個、他方に２個前記封止体の対面する２側縁に沿ってそれぞれ配置されてなることを特徴とする請求項７記載の監視ＩＣ。
【請求項９】
前記テスト状態は、前記ＩＣの前記電源端子と、前記入力端子と、前記カウンタを含む回路構成によって実行されることを特徴とする請求項７または８記載の監視ＩＣ。
【請求項１０】
過充電電圧検出テストは、短絡電流スパイク回避時間を経過する時間、前記入力端子の端子電圧が短絡電流検知電圧より大きくなる電圧を前記入力端子に印加して短絡電流検出状態に遷移させ、さらに前記監視ＩＣの電源端子の端子電圧が充電停止電圧より大きくなる電圧を前記監視ＩＣの電源端子に印加することにより、過充電電圧検出テスト状態に遷移させることで実行され、
過放電電圧検出テストは、充電過電流検出時間を経過する時間、前記入力端子の端子電圧が前記充電過電流検出電圧より小さくなる電圧を前記入力端子に印加して充電過電流検出状態に遷移させ、さらに前記監視ＩＣの電源端子の端子電圧が放電停止電圧より小さくなる電圧を前記監視ＩＣの電源端子に印加することにより、過放電電圧検出テスト状態に遷移させることで実行されるように構成されてなることを特徴とする請求項７乃至９のいずれか記載の監視ＩＣ。
【手続補正２】
【補正対象書類名】明細書
【補正対象項目名】０００７
【補正方法】変更
【補正の内容】
【０００７】
電池監視装置７１は、薄くかつ細長い矩形板からなる配線を有する実装基板７２を有する。この実装基板の第１の面（図１５では上面）には監視ＩＣ７３と、放電スイッチ及び充電スイッチを構成するＦＥＴ（ＭＯＳＦＥＴ、以下単にＭＯＳとも表記する）を組み込んだ制御ＩＣ７４が固定されている。また、実装基板の一端には第１電源端子（Ｖｃｃ）７５が取り付けられるとともに、他端側には第２電源端子（Ｇｎｄ）７６が取り付けられている。